【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
電子装置であって、
前記電子装置に着脱可能な交換ユニットであって、該交換ユニットが未使用状態であることを表す第１信号又は使用開始済みであること表す第２信号を出力する前記交換ユニットと、
前記交換ユニットから前記第１信号又は前記第２信号を検出する第１検出部と、
前記第１信号が検出されたときに、前記交換ユニットの状態を使用開始済み状態に変更する状態変更部と、
前記交換ユニットの状態が使用開始済み状態に変更させられた後に、再度、前記交換ユニットから前記第１信号又は前記第２信号を検出する第２検出部と、
前記第１及び第２検出部の双方によって前記第１信号が検出された場合に前記交換ユニットが前記電子装置に対して装着されていないと判定し、前記第１検出部によって前記第１信号が検出されたものの、前記第２検出部によって前記第１信号が検出されなかった場合に未使用状態の前記交換ユニットが装着されたと判定し、前記第１検出部によって前記第１信号が検出されなかった場合に前記交換ユニットを使用開始済みの状態と判定する判定部と
を含み、前記第１信号の信号レベルは前記交換ユニットが未装着のときに前記第１及び第２検出部において検出される信号レベルと等しいことを特徴とする電子装置。
【請求項２】
前記交換ユニットは、
前記交換ユニットが未使用状態であるか使用開始済みの状態であるかを表すためのヒューズを含み、
前記交換ユニットは、
前記ヒューズが溶断されていない場合、前記第１信号を出力し、前記ヒューズが溶断されている場合、前記第１信号を出力しないか又は前記第２信号を出力する
ことを特徴とする請求項１に記載の電子装置。
【請求項３】
前記第１及び第２検出部は、
前記交換ユニットに対して、前記第１信号又は前記第２信号を検出するための基準電圧を印可する印可部を
含むことを特徴とする請求項２に記載の電子装置。
【請求項４】
前記状態変更部は、
未使用状態の交換ユニットを使用開始済みの状態に切替えるために、前記ヒューズを溶断するための溶断電流を通電する溶断部を
含むことを特徴とする請求項２又は３に記載の電子装置。
【請求項５】
前記電子装置の内部回路を前記溶断電流から保護するための電流制限部をさらに含むことを特徴とする請求項４に記載の電子装置。
【請求項６】
前記ヒューズは、予め定められた温度以上に加熱されると溶断する温度ヒューズであり、
前記状態変更部は、
未使用状態の交換ユニットを使用開始済みの状態に変更するために、前記温度ヒューズを予め定められた温度以上に加熱する加熱部を
含むことを特徴とする請求項２又は３に記載の電子装置。
【請求項７】
前記交換ユニットは、該交換ユニットが未使用状態であるか使用開始済みの状態であるかを表すためのフラグ部材と、
前記フラグ部材が第１位置に配置された状態で前記交換ユニットが駆動されたことに連動して、該フラグ部材を前記第１位置とは異なる第２位置に回動させる回動機構とを含み、
前記交換ユニットは、
前記フラグ部材が前記第１位置に配置されている場合に、前記第１信号を出力し、
前記フラグ部材が前記第２位置に配置されている場合に、前記第１信号を出力しないか又は前記第２信号を出力する
ことを特徴とする請求項１に記載の電子装置。
【請求項８】
前記第１及び第２検出部は、
前記フラグ部材の位置に応じて異なる信号を出力するセンサに接続されている
ことを特徴とする請求項７に記載の電子装置。
【請求項９】
前記回動機構は、
前記交換ユニットを駆動するための回転体に接続され、かつ、前記フラグ部材の一方の端部に当接することで該フラグ部材を係止するカム部材と、
前記フラグ部材の他方の端部に接続され、復元力によって該フラグ部材を回動させるバネと、
前記フラグ部材が前記バネによって回動された際に、前記センサに含まれる発光素子と受光素子との間の位置で該フラグ部材を係止する係止部材とを含み、
前記状態変更部は、
未使用状態の交換ユニットを使用開始済みの状態に変更するために、前記回転体を駆動して前記カム部材を回動させることで前記フラグ部材の係止を解除させ、該フラグ部材を前記第２位置に回動させる
ことを特徴とする請求項８に記載の電子装置。
【請求項１０】
更に、前記未使用状態の交換ユニットが装着されたと判定されると、前記電子装置に保持される前記交換ユニットの使用履歴を初期化する初期化部を
含むことを特徴とする請求項１乃至９の何れか１項に記載の電子装置。
【請求項１１】
前記電子装置は、画像形成装置であり、
前記交換ユニットは、プロセスカートリッジ、定着器又は転写ベルトである
ことを特徴とする請求項１乃至１０の何れか１項に記載の電子装置。
【請求項１２】
未使用状態であることを表す第１信号又は使用開始済みであること表す第２信号を出力する交換ユニットが装着可能な電子装置の制御方法であって、
前記交換ユニットから前記第１信号又は前記第２信号を検出する第１検出ステップと、
前記第１信号が検出されたときに、前記交換ユニットの状態を使用開始済み状態に変更する状態変更ステップと、
前記交換ユニットの状態が使用開始済み状態に変更させられた後に、再度、前記交換ユニットから前記第１信号又は前記第２信号を検出する第２検出ステップと、
前記第１及び第２検出ステップの双方によって前記第１信号が検出された場合に前記交換ユニットが前記電子装置に対して装着されていないと判定し、前記第１検出ステップによって前記第１信号が検出されたものの、前記第２検出ステップによって前記第１信号が検出されなかった場合に未使用状態の前記交換ユニットが装着されたと判定し、前記第１検出ステップによって前記第１信号が検出されなかった場合に前記交換ユニットを使用開始済みの状態と判定する判定ステップと
を含み、前記第１信号の信号レベルは前記交換ユニットが未装着のときに前記第１及び第２検出ステップにおいて検出される信号レベルと等しいことを特徴とする制御方法。
【手続補正２】
【補正対象書類名】明細書
【補正対象項目名】０００９
【補正方法】変更
【補正の内容】
【０００９】
本発明は、例えば、電子装置として実現できる。本電子装置は、電子装置に着脱可能な交換ユニットであって、交換ユニットが未使用状態であることを表す第１信号又は使用開始済みであること表す第２信号を出力する交換ユニットを含む。また、電子装置は、交換ユニットから第１信号又は第２信号を検出する第１検出部と、第１信号が検出されたときに、交換ユニットの状態を使用開始済み状態に変更する状態変更部とを含む。また、電子装置は、交換ユニットの状態が使用開始済み状態に変更させられた後で、再度、交換ユニットから第１信号又は第２信号を検出する第２検出部を含む。また、電子装置は、第１及び第２検出部の双方によって第１信号が検出された場合に交換ユニットが電子装置に対して装着されていないと判定する判定部を含む。また、判定部は、第１検出部によって第１信号が検出されたものの、第２検出部によって第１信号が検出されなかった場合に未使用状態の交換ユニットが装着されたと判定する。また、判定部は、第１検出部によって第１信号が検出されなかった場合に交換ユニットを使用開始済みの状態と判定する。また、第１信号の信号レベルは交換ユニットが未装着のときに第１及び第２検出部において検出される信号レベルと等しいことを特徴とする。